(57)【要約】【課題】アジャスターを有するテーブルの頻繁に発生するガタツキを自動修正及び解消することができ、またスムーズなテーブル移動ができることを課題とする。【解決手段】従来のアジャスターに粘弾性体をテーブル脚の全てに装着させることで、上からのテーブルの荷重と下からの床面の圧力を個々に感じ取り、粘弾性体それぞれの伸縮により、床面と全ての脚が接地されることから、テーブルのガタツキが一瞬にして自動解消されるアジャスターを設ける。【選択図】  図１
2008018223.tif 000002
【特許請求の範囲】
【請求項１】
テーブル脚一組に取り付けられるアジャスターについて、そのテーブル自体の荷重により、それぞれのアジャスター内部の粘弾性体が個々の状況に応じ圧縮伸長変型する自動調節テーブルアジャスター。
【請求項２】
前記粘弾性体と、自身をテーブル脚に固定するためのボルトと、は摩擦や衝撃に耐える円環状の樹脂製キャップにはめ込むことで耐久性を高めると共に簡単に交換ができる請求項１に記載の自動調節テーブルアジャスター。
【請求項３】
前記粘弾性体は前記ボルトと前記樹脂製キャップの内底面との間に配置され、前記ボルトと前記粘弾性体とはボルト軸に対して回転自在に構成されている請求項１又は２に記載の自動調節テーブルアジャスター。
【請求項４】
前記粘弾性体は、前記ボルトとの摩擦が比較的小さいフィルムを前記ボルトとの間に貼り付けた請求項３に記載の自動調節テーブルアジャスター。
【請求項５】
前記粘弾性体は、前記樹脂製キャップの内底面との摩擦が比較的小さいフィルムを前記樹脂製キャップとの間に貼り付けた請求項３又は４に記載の自動調節テーブルアジャスター。
【請求項６】
前記ボルトは、前記粘弾性体側に配置されるボルト頂部がプラスティック素材からなる複合材料型ボルトである請求項１から５のいずれか一に記載の自動調節テーブルアジャスター。
【請求項７】
前記ボルト頂部のプラスティック素材は、ボルト軸投影領域の凹部が形成され、その底部に射出成形時の素材出入口ばりが配置されている請求項１から６のいずれか一に記載の自動調節テーブルアジャスター。
【発明の詳細な説明】
【技術分野】
【０００１】
本件発明は、テーブル脚の下端に取付けられたアジャスターのガタツキを解消するためのテーブルアジャスターに関する。
【背景技術】
【０００２】
テーブルのガタツキや水平を保つため、通常テーブルの脚下にはアジャスターが設置されている。しかし多くのアジャスターは脚側のナット部分にアジャスター側のボルトを回しながらテーブルの高さやガタツキ調節を行っているのが一般的である。この場合、店鋪等でテーブルを移動したりすることで徐々にボルト部分が回転しガタツキが発生する。また、床全体が水平に設計されているところは少なく、通常は場所によりテーブルの脚それぞれのガタツキが発生する。また、ガタツキを修正する場合も人による床面に合わせながらの細かい調節作業が必要となる。
【０００３】
そこで、特許文献１では、テーブルの脚下に設置されるアジャスターに粘弾性体を用い粘弾性体の性質により自動的に脚の長さを調整するアジャスターが考案されている。
【特許文献１】実用新案登録第３１１６２８９号
【発明の開示】
【発明が解決しようとする課題】
【０００４】
しかし、特許文献１に記載された考案では、粘弾性体は直接床面に接しているため、テーブルなどを移動した際に、粘弾性体が削れ、ガタツキが修正できなくなる恐れがある。また、粘弾性体は粘性を有するため、テーブル移動時に、外れてしまう恐れもある。
【課題を解決するための手段】
【０００５】
そこで、本件発明は、上記課題を鑑みてなされるものである。すなわち第一の発明としては、テーブル脚一組に取り付けられるアジャスターについて、そのテーブル自体の荷重により、それぞれのアジャスター内部の粘弾性体が個々の状況に応じ圧縮伸長変型する自動調節テーブルアジャスターを提供する。
【０００６】
第二の発明としては、第一の発明にかかり、前記粘弾性体と、自身をテーブル脚に固定するためのボルトと、は摩擦や衝撃に耐える円環状の樹脂製キャップにはめ込むことで耐久性を高めると共に簡単に交換ができる自動調節テーブルアジャスターを提供する。
【０００７】
第三の発明としては、第一または第二の発明にかかり、前記粘弾性体は前記ボルトと前記樹脂製キャップの内底面との間に配置され、前記ボルトと前記粘弾性体とはボルト軸に対して回転自在に構成されている自動調節テーブルアジャスターを提供する。
【０００８】
第四の発明としては、第三の発明にかかり、前記粘弾性体は、前記ボルトとの摩擦が比較的小さいフィルムを前記ボルトとの間に貼り付けた自動調節テーブルアジャスターを提供する。
【０００９】
第五の発明としては、第三または第四の発明にかかり、前記粘弾性体は、前記樹脂製キャップの内底面との摩擦が比較的小さいフィルムを前記樹脂製キャップとの間に貼り付けた自動調節テーブルアジャスターを提供する。
【００１０】
第六の発明としては、第一から第五のいずれか一の発明にかかり、前記ボルトは、前記粘弾性体側に配置されるボルト頂部がプラスティック素材からなる複合材料型ボルトである自動調節テーブルアジャスターを提供する。
【００１１】
第七の発明としては、第一から第六のいずれか一の発明にかかり、前記ボルト頂部のプラスティック素材は、ボルト軸投影領域の凹部が形成され、その底部に射出成形時の素材出入口ばりが配置されている自動調節テーブルアジャスターを提供する。
【発明の効果】
【００１２】
本件発明により、テーブルのガタツキが自動的に解消され、テーブルの移動をスムーズに行うことが可能なテーブルアジャスターの提供が可能となる。
【発明を実施するための最良の形態】
【００１３】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１４】
実施形態１は、主に請求項１、および２、６、７などに関する。
【００１５】
実施形態２は、主に請求項３、４、５などに関する。
<実施形態１>
<実施形態１  概要>
【００１６】
本実施形態の自動調節テーブルアジャスターは、自動調節テーブルアジャスター内部に粘弾性体を有し、粘弾性体が個々の状況に応じて圧縮伸長変型することにより、個々の脚の高さを調整し、ガタツキを抑制する。また粘弾性体および自動調節テーブルアジャスターをテーブル脚に固定するためのボルトは、円環状の樹脂製キャップに覆われており、摩擦や衝撃に耐えうるよう構成されている。
<実施形態１  構成>
【００１７】
本実施形態の自動調節テーブルアジャスターは、テーブル脚一組に取り付けられるアジャスターについて、そのテーブル自体の荷重により、それぞれのアジャスター内部の粘弾性体が個々の状況に応じ圧縮伸長変型する。
【００１８】
また、粘弾性体と、自身をテーブル脚に固定するためのボルトは、摩擦や衝撃に対する耐久性を持たせたり、交換を簡単に行うために、円環状の樹脂製キャップにはめ込んでもよい。
【００１９】
「粘弾性体」は、粘弾性を有するウレタンなどにより構成されている。粘弾性体は、テーブル自体の荷重により圧縮され横方向に膨張し、高さが調整される。図１に荷重による粘弾性体の圧縮の状態を説明するための断面図を示した。本実施形態の自動調節テーブルアジャスターは、テーブル脚と固定するためのボルト（０１０１）と、高さを調整する粘弾性体（０１０２）とからなる。また、図１の自動調節テーブルアジャスターは、粘弾性体とボルトを覆う樹脂製キャップ（０１０３）を有している。（ａ）は静置状態での自動調節テーブルアジャスターであって、（ｂ）はテーブルなどから荷重が加えられた状態の自動調節テーブルアジャスターである。図中上部よりテーブル（０１０４）の自重など荷重が加えられると、粘弾性体が上方向から圧縮され、横方向に膨張する。この上方向からの圧縮により、テーブル脚の高さが調整され、テーブルのガタツキが抑制される。
【００２０】
自動調節テーブルアジャスターが調節可能な高さの範囲は、この粘弾性体の厚さによって変化する。図２に粘弾性体の厚さの違いによる調整可能高さの変化を示した。（ａ）は粘弾性体（０２０１）を薄くした場合で、（ｂ）は粘弾性体を（ａ）の３倍にした場合を示している。同じ粘弾性の素材を使用した場合、（ｂ）は（ａ）に比べて３倍の高さを調整することが可能である。しかし、粘弾性体を過度に厚くした場合、自動調節テーブルアジャスターを含めたテーブル（０２０２）全体の高さが増加したり、粘弾性体による横方向の揺れが生じる恐れがある。よって、粘弾性体の厚さは、取り付けるテーブル自体の荷重によって変化させたりするのが好ましい。一般的には、２ミリメートルから７ミリメートル程度が好ましい。また圧縮方向視したときの粘弾性体の形状は、四角形や三角形、六角形などの多角形でもよいが、圧縮された際に均一に膨張する円形が最も好ましい。
【００２１】
「ボルト」は、テーブルと接合するためのネジが切られた部分とその逆側にはボルト頂部がある。ボルト頂部は、弾性体と接しており、テーブルからの荷重を弾性体に伝えている。ボルトは、テーブルの荷重を支え、かつテーブルと確実に接合する必要があるため、金属など十分な強度を有する素材によって構成することが望ましい。また、図３に示したように、ボルト頂部は、（ａ）に示したようにプラスティック素材（０３０１）と金属などのネジの部分（０３０５）とからなる複合材料型ボルト（０３０１）であってもよいし、（ｂ）に示すようなネジが切られた部分と同様の金属からなる一体型のボルト（０３０２）であってもよい。ボルト頂部がプラスティック素材からなる複合材料型ボルトであった場合、（ａ）に示したように、ボルト頂部に厚さ（０３０３）が厚くなるため、自動調節テーブルアジャスター全体の高さが増加（０３０４）してしまう。一方（ｂ）のように、ネジが切られた部分と同じ材料で一体として構成することで、（ａ）のプラスティック素材の分の厚さを抑制することが可能である。
【００２２】
ボルト頂部のボルト軸投影面積は、粘弾性体にテーブルからの荷重を伝えるために、粘弾性体のボルト頂部との接触面積と同程度もしくは、それ以上の面積を有することが望ましい。また、ボルト頂部は、粘弾性体との接触面に凹凸が生じないように、ボルト軸投影領域に凹部を設け、ボルト頂部のプラスティック素材の射出成型時に生じる素材出入口ばりを、凹部に隠すように配置している。これにより、射出成型時に生じるバリによる凹凸の影響を無くしている。
【００２３】
また、自動調節テーブルアジャスターを取り付ける対象となるテーブル脚のメスネジ径に応じて、ボルトのテーブルと接合するためのネジが切られた部分の直径が６ミリメートル、８ミリメートル、１２ミリメートルなど様々な種類に対応が可能である。また、外国製のテーブルにも対応するために、ボルトのネジが切られた部分の直径が、インチ基準であってもよい。このような様々なテーブルに対応するには、様々な種類のネジが切られた部分を有するボルトを準備し、樹脂製キャップに埋め込むべきボルトを交換するのみで対応することが可能である。
【００２４】
樹脂製キャップは、外部からの衝撃や、テーブルを移動する際に生じる摩擦から、粘弾性体およびボルトを守る。樹脂製キャップはポリエチレンなどの樹脂から構成されている。粘弾性体とボルトは、円環状の樹脂製キャップにはめ込まれている。図４に自動調節テーブルアジャスターと自動調節テーブルアジャスターが設置されたテーブルの断面図を示した。樹脂製キャップ（０４０１）は、ボルト頂部（０４０２）と粘弾性体（０４０３）を覆っている。樹脂製キャップは、自動調節テーブルアジャスターの最下部に位置し、床面（０４０４）と直接接している。このため、テーブル（０４０５）が移動されたりした際には、樹脂製キャップが床面と擦れることとなる。樹脂製キャップは、床面を傷つけないよう、床面に比べて柔らかい素材で構成されている。このため、樹脂製キャップは、長期にわたり使用することで、削れてしまう。このため、樹脂製キャップの床と接する面は、側面に比べて素材を厚く（０４０６）構成することで、耐久性を向上させている。床と接する面の素材を厚く構成することで、テーブルに設置した際にテーブルの高さが増加してしまうが、ボルトを図３の（ｂ）で示したような、同一の素材からなるように構成することで、自動調節テーブルアジャスターの高さを抑えることが可能である。
<実施形態１  効果>
【００２５】
本実施形態の自動調節テーブルアジャスターは、樹脂製キャップ内に粘弾性体を有している。この粘弾性体が、テーブルの自重により圧縮することでテーブル脚体の高さを調整し、テーブルのガタツキを抑制することが可能となる。また、粘弾性体が樹脂製キャップ内に配置されているため、耐久性が高い自動調節テーブルアジャスターを提供することが可能となる。
<実施形態２>
<実施形態２  概要>
【００２６】
本実施形態の自動調節テーブルアジャスターは、ボルトと粘弾性体とはボルト軸に対して回転自在に構成されている。これにより、テーブルなどを移動する際に、ボルトが回転し、テーブルから自動調節テーブルアジャスターが脱落することを防止することが可能である。
<実施形態２  構成>
【００２７】
本実施形態の自動調節テーブルアジャスターは、粘弾性体が前記ボルトと前記樹脂製キャップの内底面との間に配置され、前記ボルトと前記粘弾性体とはボルト軸に対して回転自在に構成されている。
【００２８】
図５にテーブルを移動する際の概念図を示した。（ａ）は本実施形態の自動調節テーブルアジャスターを取り付けた場合で、（ｂ）は従来のボルトに対して回転しないテーブルアジャスターを取り付けた場合である。テーブルを移動する際、小さいテーブルなど比較的軽いテーブルであれば、樹脂製キャップが床面と設置しない位置に持ち上げて移動すればよいが、店舗などに設置されるテーブルの場合、重量があり、持ち上げて移動するのは困難である。そのため、図５に示したように、テーブル（０５０１）はテーブルアジャスターが床面（０５０２）と接した状態で、移動される事が多い。（ａ）の本実施形態の自動調節テーブルアジャスターの場合、ボルト（０５０３）と樹脂製キャップ（０５０４）内の粘弾性体は、独立して回転可能である。このため、テーブルを床面と接した状態で移動したときに、樹脂製キャップと樹脂製キャップ内の粘弾性体は、テーブルの移動に伴って回転する。一方、ボルトは、粘弾性体および樹脂製キャップとは独立しており、移動に伴う力は加わらず、テーブルに固定されたままである。（ｂ）の従来から用いられているテーブルアジャスターでは、テーブルの移動に伴って樹脂製キャップが回転する。樹脂製キャップとボルトは独立して回転することができないため、ボルトは樹脂製キャップの回転と共に回転する。このため、テーブルとテーブルアジャスターを固定するボルトが回転してしまう。テーブルとテーブルアジャスターを取り外す方向にボルトが回転した場合、テーブルアジャスターはテーブルから脱落してしまう。
【００２９】
自動調節テーブルアジャスターがボルトと前記粘弾性体とはボルト軸に対して回転自在になるよう構成するためには、ボルトと粘弾性体の間や、粘弾性体と樹脂製キャップの間に、油や、摩擦抵抗を少なくするためのパウダーを塗布したり、摩擦の小さいフィルムを配置したり、ベアリングなどの球体を配置したりしてもよい。
【００３０】
「フィルム」は、ボルトや樹脂製キャップの内底面との摩擦が小さいフィルムであって、例えばポリプロピレン（ＰＰ）やポチエチレンテレフタレート（ＰＥＴ）などのフィルムである。粘弾性体は、表面に粘性を有するため、設置する対象となる物体の面に貼り付き、回転などが不可能となってしまう。このため、摩擦が比較的小さいフィルムを間に設置することで、粘弾性体の粘性を抑え、回転を可能にしている。図６にフィルムを配置した自動調節テーブルアジャスターの断面図を示した。フィルム（０６０１）を、（ａ）のように粘弾性体（０６０２）と樹脂製キャップ（０６０３）の内底面の間に配置した場合、ボルト（０６０４）とボルトに接している粘弾性体に対して、樹脂製キャップは自在に回転することが可能となる。また、（ｂ）のように、フィルムをボルトと粘弾性体の間に配置することも可能である。この場合、ボルトに対して、粘弾性体と樹脂製キャップが協働して回転することとなる。また、（ｃ）に示したようにフィルムをボルトと粘弾性体の間と、粘弾性体と樹脂製キャップの両方に配置することも可能である。この場合、ボルトに対して粘弾性体と樹脂製キャップがそれぞれ独立して回転することが可能である。
【００３１】
このように、ボルトに対して粘弾性体と樹脂製キャップが自在に回転する場合、テーブルに固定する際に樹脂製キャップを回転させることでボルトのテーブルと接合するためのネジが切られた部分をテーブル脚部のメスねじに固定することができない。これを回避するために、ボルトに図７のように、ボルト頂部（０７０１）とテーブルと接合するためのネジが切られた部分（０７０２）の間に、自動調節テーブルアジャスターをテーブルに固定するために六角形のボルト（０７０３）を設けた。これにより、この六角形ボルトをスパナなどで回転させることで、テーブルに自動調節テーブルアジャスターを固定することが可能である。
<実施形態２  効果>
【００３２】
本実施形態の自動調節テーブルアジャスターは、ボルトに対して、粘弾性体および樹脂製キャップが独立して回転することが可能である。これにより、テーブルの移動の際、床面との摩擦によって生じる回転により、テーブルアジャスターの脱落を防ぐことが可能である。
<実施形態２  具体例>
【００３３】
図８に本実施形態の自動調節テーブルアジャスターの具体例を示した。（ａ）は自動調節テーブルアジャスターをボルト軸線方向視した図で、（ｂ）は側面断面図である。本実施形態の自動調節テーブルアジャスターは、ボルト（０８０１）、フィルム（０８０２）、粘弾性体（０８０３）、樹脂製キャップ（０８０４）からなる。
【００３４】
自動調節テーブルアジャスターの静置状態での高さは、略３２ミリメートル、直径は略３３ミリメートルである。またボルトの高さは略２０ミリメートル、ボルトがフィルムと接する面の直径は略２５ミリメートルの円形、フィルムは直径略２５ミリメートルの円形である。粘弾性体は、厚さ略５ミリメートル、直径が略１２ミリメートルの略円形である。樹脂製キャップの高さは略１６ミリメートルである。
<参考情報>
【００３５】
本発明の自動調節テーブルアジャスターの参考例を図９から図１１を参照して説明する。図９に示すようにテーブルアジャスターは、ボルト１１と軟質塩化ビニールや、ポリウレタンを使用した２１で構成された通常のアジャスターの下部に粘弾性体３１を接着し、ポリエチレン化粧キャップ４１を組み合わせて構成される。本発明の自動調節テーブルアジャスターをテーブルの脚に取付けると、テーブルや脚の重さにより図１０で示すように粘弾性体３１が圧縮される。粘弾性体３１は荷重が掛かることで横に膨張するため、ポリエチレン化粧キャップ４１との隙間を周囲２ｍｍ以上確保する。図１１で示すようにテーブルの脚すべて自動調節テーブルアジャスターを装着することで各アジャスターそれぞれが床とテーブルの加圧を受け取り、床面とアジャスターの隙間をなくすことでガタツキが解消される。
【図面の簡単な説明】
【００３６】
【図１】実施形態１の自動調節テーブルアジャスターの断面図
【図２】実施形態１の自動調節テーブルアジャスターの断面図
【図３】実施形態１の自動調節テーブルアジャスターの断面図
【図４】実施形態１の自動調節テーブルアジャスターの断面図
【図５】実施形態２の自動調節テーブルアジャスターの概念図
【図６】実施形態２の自動調節テーブルアジャスターの断面図
【図７】実施形態２の自動調節テーブルアジャスターの断面図
【図８】実施形態２の自動調節テーブルアジャスターの具体例
【図９】本件発明の参考図
【図１０】本件発明の参考図
【図１１】本件発明の参考図
【符号の説明】
【００３７】
０１０１  ボルト
０１０２  粘弾性体
０１０３  樹脂製キャップ
０１０４  テーブル
【図１】
2008018223.tif 000003
【図２】
2008018223.tif 000004
【図３】
2008018223.tif 000005
【図４】
2008018223.tif 000006
【図５】
2008018223.tif 000007
【図６】
2008018223.tif 000008
【図７】
2008018223.tif 000009
【図８】
2008018223.tif 000010
【図９】
2008018223.tif 000011
【図１０】
2008018223.tif 000012
【図１１】
2008018223.tif 000013